【手続補正書】
【提出日】平成16年11月30日(2004.11.30)
【手続補正１】
【補正対象書類名】明細書
【補正対象項目名】請求項１
【補正方法】変更
【補正の内容】
【請求項１】
携帯端末であって、
ユーザによるテレビ放送チャネル選択又は変更入力に応じて、前記携帯端末に対する情報送信機能を有しないテレビジョン受像機に対して前記テレビ放送チャネルの選局に関する無線信号を送信する手段と、
前記テレビ放送チャネル選択又は変更入力に応じて、ユーザ識別情報と選択又は変更入力された前記テレビ放送チャネルの情報とを含む番組関連情報取得要求を、所定のサーバに対して送信する手段と、
前記所定のサーバから番組関連情報を受信した場合、当該番組関連情報を表示装置に表示する手段と、
を有する携帯端末。
【手続補正２】
【補正対象書類名】明細書
【補正対象項目名】請求項２
【補正方法】変更
【補正の内容】
【請求項２】
携帯端末であって、
ユーザによるテレビ放送チャネル選択又は変更入力に応じて、前記携帯端末に対する情報送信機能を有しないテレビジョン受像機に対して前記テレビ放送チャネルの選局に関する無線信号を送信する手段と、
前記テレビ放送チャネル選択又は変更入力に応じて、現在位置に関する情報と選択又は変更入力された前記テレビ放送チャネルの情報とを含む番組関連情報取得要求を、所定のサーバに対して送信する手段と、
前記所定のサーバから番組関連情報を受信した場合、当該番組関連情報を表示装置に表示する手段と、
を有する携帯端末。
【手続補正３】
【補正対象書類名】明細書
【補正対象項目名】請求項６
【補正方法】変更
【補正の内容】
【請求項６】
携帯端末に命令を実行させるためのプログラムであって、
ユーザによるテレビ放送チャネル選択又は変更入力に応じて、前記携帯端末に対する情報送信機能を有しないテレビジョン受像機に対する前記テレビ放送チャネルの選局に関する無線信号を無線信号送信部に送信させるステップと、
前記テレビ放送チャネル選択又は変更入力に応じて、ユーザ識別情報と選択又は変更入力された前記テレビ放送チャネルの情報とを含むリクエストを、ブラウザに所定のサーバへ送信させるステップと、
を実行させるためのプログラム。
【手続補正４】
【補正対象書類名】明細書
【補正対象項目名】請求項７
【補正方法】変更
【補正の内容】
【請求項７】
携帯端末に命令を実行させるためのプログラムであって、
ユーザによるテレビ放送チャネル選択又は変更入力に応じて、前記携帯端末に対する情報送信機能を有しないテレビジョン受像機に対する前記テレビ放送チャネルの選局に関する無線信号を無線信号送信部に送信させるステップと、
前記テレビ放送チャネル選択又は変更入力に応じて、現在位置に関する情報と選択又は変更入力された前記テレビ放送チャネルの情報とを含むリクエストを、ブラウザに所定のサーバへ送信させるステップと、
を実行させるためのプログラム。
【手続補正５】
【補正対象書類名】明細書
【補正対象項目名】請求項８
【補正方法】変更
【補正の内容】
【請求項８】
ユーザ端末からユーザ識別情報とテレビ放送チャネルの情報とを含む番組関連情報取得要求を受信した場合には、ユーザ識別情報を用いて予め登録された放送エリアの情報を記憶装置から取得するステップと、
取得された前記放送エリアの情報を用いて、前記テレビ放送チャネルにおいて放送中の番組に関連する情報を記憶装置から取得するステップと、
前記テレビ放送チャネルにおいて放送中の番組に関連する情報を、前記ユーザ端末に送信するステップと、
を含み、コンピュータにより実行される番組関連情報提供方法。
【手続補正６】
【補正対象書類名】明細書
【補正対象項目名】請求項１２
【補正方法】変更
【補正の内容】
【請求項１２】
ユーザ端末から当該ユーザ端末の現在位置の情報とテレビ放送チャネルの情報とを含む番組関連情報取得要求を受信した場合には、前記ユーザ端末の現在位置の情報を用いて、前記テレビ放送チャネルにおいて放送中の番組に関連する情報を記憶装置から取得するステップと、
前記テレビ放送チャネルにおいて放送中の番組に関連する情報を、前記ユーザ端末に送信するステップと、
を含み、コンピュータにより実行される番組関連情報提供方法。
【手続補正７】
【補正対象書類名】明細書
【補正対象項目名】０００２
【補正方法】変更
【補正の内容】
【０００２】
【従来の技術】
従来から、ＩｒＤＡ（Infrared Data Association）対応のＰＤＡ（Personal Digital Assistant）やノート型パーソナルコンピュータ（以下ＰＣと呼ぶ）にテレビジョン受像機等のリモート・コントロール機能を持たせるためのリモコン・プログラムが存在していた。ＰＤＡやノート型ＰＣ自体は、インターネットに接続する機能は有しているが、リモコン・プログラムはテレビジョン受像機等のリモート・コントロール機能しか提供しておらず、インターネットに接続する機能との連携及びインターネットに接続されたサーバとの連携は何ら考慮されていない。
【手続補正８】
【補正対象書類名】明細書
【補正対象項目名】００１７
【補正方法】変更
【補正の内容】
【００１７】
なお、本発明の第１の態様において、上で述べた番組関連情報取得要求に、現在位置に関する情報を含むような構成とすることも可能である。例えば自宅にいない場合であっても、現在位置に関する情報に基づき所定のサーバはチャネルの意味を解釈できるようになる。
【手続補正９】
【補正対象書類名】明細書
【補正対象項目名】００２５
【補正方法】変更
【補正の内容】
【００２５】
ユーザ識別情報が登録されていない場合であっても、現在位置の情報を得ることができれば、視聴地域に合致する番組関連情報をユーザに提供することができるようになる。
【手続補正１０】
【補正対象書類名】明細書
【補正対象項目名】００２７
【補正方法】変更
【補正の内容】
【００２７】
【発明の実施の形態】
本発明の一実施の形態に係るシステム概要を図１に示す。ユーザが操作する携帯電話機３は、赤外線又はBluetoothのような近距離無線通信にてテレビジョン受像機５に対して所定の動作を指示することができるようになっている。テレビジョン受像機５は、電波等による放送を受信し、表示部に放送番組の映像を表示するものである。なお、本実施の形態を実施する上で、テレビジョン受像機５に特別な機能は不要である。また携帯電話機３は、無線基地局９と無線にて通信することができるようになっている。無線基地局９は、携帯電話ネットワーク１１を介してインターネット１に接続されている。携帯電話機３も、無線基地局９、携帯電話ネットワーク１１を介してインターネット１に接続できるようになっている。
【手続補正１１】
【補正対象書類名】明細書
【補正対象項目名】００３２
【補正方法】変更
【補正の内容】
【００３２】
次に、携帯電話機３及びメイン・サーバ７の処理について図３乃至図９を用いて説明する。図３は携帯電話機３における処理を示している。最初に、例えばＯＳが、ユーザによる所定のキー入力に応じて、コントローラ３３１を起動する（ステップＳ１）。すなわち、テレビジョン受像機５のリモート・コントロール・モードに設定される。コントローラ３３１は、キー入力待ち状態になり、もしキー入力を受け付けると、チャネル選択又は変更の指示が入力されたか判断する（ステップＳ３）。例えば、チャネル番号に対応するボタンが押された場合や、チャネル番号を上又は下に変更する入力が行われた場合に、チャネル選択又は変更の指示が入力されたものと判断する。もし、チャネル選択又は変更の指示が入力されたと判断された場合には、第１無線通信部３１についての処理と、ブラウザ３３２及び第２無線通信部３５についての処理とが実施される。
【手続補正１２】
【補正対象書類名】明細書
【補正対象項目名】００３３
【補正方法】変更
【補正の内容】
【００３３】
第１無線通信部３１についての処理としては、チャネル選択又は変更入力に応じて、チャネル変更のためのＴＶ制御コマンドを生成し、第１無線通信部３１に出力する（ステップＳ５）。例えば６チャネルにチャネル変更を行うことを命じるようなＴＶ制御コマンドを生成する。そして、第１無線通信部３１は、チャネル変更のためのＴＶ制御コマンドに従って、無線信号をテレビジョン受像機５に送信する（ステップＳ７）。これにより、テレビジョン受像機５は、チューナの設定を切り替えて、ユーザ所望のチャネルの映像を表示するようになる。
【手続補正１３】
【補正対象書類名】明細書
【補正対象項目名】００３９
【補正方法】変更
【補正の内容】
【００３９】
次に、図３のステップＳ９の詳細についてメイン・サーバ７との関連も含めて図４乃至図６を用いて説明する。携帯電話機３のコントローラ３３１は、チャネル選択又は変更入力に応じて、会員ＩＤ及びチャネル番号を含むリクエストを所定のドメイン名のサーバに出力するようにブラウザ３３２に指示を出力する（ステップＳ３１）。なお、ブラウザ３３２が起動していない場合には、起動してから指示を出力する。ブラウザ３３２は、コントローラ３３１から指示を受信すると、会員ＩＤ及びチャネル番号を含むリクエストを所定のドメイン名のサーバに送信する（ステップＳ３３）。所定のサーバは、本実施の形態においてはメイン・サーバ７である。リクエストは、例えばＨＴＴＰ（Hyper Text Transfer Protocol）のＧＥＴリクエストであって、例えば会員ＩＤ及びチャネル番号で特定されるＵＲＬ（Uniform Resource Locator）のファイル等を取得する（ＣＧＩ（Common Gateway Interface）の出力を含む）ようなリクエストである。なお、ＧＥＴリクエストに別途会員ＩＤ及びチャネル番号を含めるような構成であってもよい。なお、ブラウザ３３２がメイン・サーバ７に情報を送信する場合には、ＯＳを介して第２無線通信機３５を制御し、無線基地局９、携帯電話ネットワーク１１、及びインターネット１を介して送信することになるが、この部分は従来と同じであるからこれ以上述べない。
【手続補正１４】
【補正対象書類名】明細書
【補正対象項目名】００４０
【補正方法】変更
【補正の内容】
【００４０】
メイン・サーバ７は、携帯電話機３から会員ＩＤ及びチャネル番号を含むリクエストを受信すると、一旦記憶装置に格納する（ステップＳ３５）。そして、会員ＩＤをリクエストから抽出して、会員ＩＤで会員ＤＢ７１を検索し、受信エリアのエリアコードを取得する（ステップＳ３７）。会員ＤＢ７１に格納される情報の一例を図５に示す。図５の例では、会員ＩＤの欄５０１と、氏名の欄５０２と、年齢の欄５０３と、職業の欄５０４と、住所の欄５０５と、メールアドレスの欄５０６と、エリアコードの欄５０７と、視聴可能メディアの欄５０８と、使用している録画機器の欄５０９と、番組予告メール設定の欄５１０とが設けられている。これは一例であってより多くの情報を蓄積するようにしてもよいし、その一部のみとすることも可能である。ステップＳ３７では、エリアコードの欄５０７からエリアコードを読み出す。また、ステップＳ３７において住所や職業といった他の個人属性情報を読み出すような構成とすることも可能である。
【手続補正１５】
【補正対象書類名】明細書
【補正対象項目名】００４１
【補正方法】変更
【補正の内容】
【００４１】
次にエリアコードとチャネル番号と現在日時の情報を用いて、ＴＶ番組関連情報格納部７３から該当する番組関連情報を取得する（ステップＳ３９）。エリアコード及びチャネル番号にて視聴している放送局を特定し、現在日時により現在放送中の番組を特定するものである。但し、ステップＳ３７において他の個人属性情報を読み出した場合には、当該個人属性情報にさらにマッチした番組関連情報を取得するようにしても良い。この番組関連情報には、登場人物の情報や、番組で訪れた地域の情報、お店の情報、コマーシャルの情報等様々なものが考えられる。
【手続補正１６】
【補正対象書類名】明細書
【補正対象項目名】００４３
【補正方法】変更
【補正の内容】
【００４３】
この番組関連情報から、番組に関連する商品等のショッピングを行う場合にはショッピング・サーバ１７にアクセスし、番組における投票やアンケート等に参加する場合には番組連携処理サーバ１９にアクセスし、番組に関連するファイルをダウンロードしたい場合にはダウンロード・サーバ１５にアクセスし、番組に関連する商品の広告を得たい場合には広告サーバ１３にアクセスしたりすることができるようになる。
【手続補正１７】
【補正対象書類名】明細書
【補正対象項目名】００５０
【補正方法】変更
【補正の内容】
【００５０】
次に、図３のステップＳ１７の処理について図８を用いて説明する。携帯電話機３のコントローラ３３１は、テレビジョン受像機５の電源オフを指示する入力に応じて、会員ＩＤ及び電源オフに係る情報を含むリクエストを所定のドメイン名のサーバ（本実施の形態におけるメイン・サーバ７）に送信するようにブラウザ３３２に指示する（ステップＳ５１）。ブラウザ３３２は、コントローラ３３１から指示を受けると、会員ＩＤ及び電源オフに係る情報を含むリクエストを所定のドメイン名のサーバに送信する（ステップＳ５３）。
【手続補正１８】
【補正対象書類名】明細書
【補正対象項目名】符号の説明
【補正方法】変更
【補正の内容】
【符号の説明】
１  インターネット    ３  携帯電話機
５  テレビジョン受像機    ７  メイン・サーバ
９  無線基地局    １１  携帯電話ネットワーク
１３  広告サーバ    １５  ダウンロード・サーバ
１７  ショッピング・サーバ    １９  番組連携処理サーバ
７１  会員ＤＢ    ７３  ＴＶ番組関連情報格納部
７５  アクセスログＤＢ
３１  第１無線通信部    ３３  ソフトウエア
３５  第２無線通信部    ３７  入力部
３３１  コントローラ    ３３２  ブラウザ